(57)【要約】      （修正有）【課題】電子製品のレンズモジュールのための抜き取り工具を提供する。【解決手段】レンズモジュール抜き取りに用いられ、ベースと複数の押圧板を包含する。該ベースは第１挟持アームと第２挟持アームを具え、該第１挟持アームと第２挟持アームの一端は接続され、別端は分離され且つ平らに揃えられ、該第１、第２挟持アームの相互に分離した端面に嵌め溝を内向きに凹設し、複数の該押圧板は第１、第２挟持アームの一側面に固定され並びに第１、第２挟持アームの相互に分離した一端より伸出する。レンズの一部が該嵌め溝内に挿入され、該押圧板が外向きにレンズモジュールを固定する複数の弾性片を押圧し、並びに底座の二つの背向する外側壁を挟持し、レンズモジュールに対する該弾性片の係止を解除し、第１挟持アームと第２挟持アームを握持して抜き取り工具全体を引き抜けば、便利、迅速にレンズモジュールを取り出せる。【選択図】図１
0003151007.tif 000002
【実用新案登録請求の範囲】
【請求項１】
ベースであって、第１挟持アームと第２挟持アームを具え、該第１挟持アームと該第２挟持アームの一端は接続され、別端は分離され且つ平らに揃えられ、該第１挟持アームと該第２挟持アームの相互に分離した一端の端面に嵌め溝が内向きに凹設された、上記ベースと、
複数の押圧板であって、該第１挟持アームと第２挟持アームの一側面に固定され並びに第１、第２挟持アームの相互に分離した一端より伸出する、上記複数の押圧板と、
を包含したことを特徴とする、抜き取り工具。
【請求項２】
請求項１記載の抜き取り工具において、該第１挟持アームと該第２挟持アームの該押圧板に対応する部分に固定ブロックが固定され、該固定ブロックが該押圧板を該第１挟持アームと該第２挟持アームに挟持固定することを特徴とする、抜き取り工具。
【請求項３】
請求項２記載の抜き取り工具において、該固定ブロックがベースブロックと該ベースブロックの辺縁に凸設された側ブロックを具え、該押圧板の側縁が該側ブロックに当接することを特徴とする、抜き取り工具。
【請求項４】
請求項１記載の抜き取り工具において、該第１挟持アームと該第２挟持アームに位置制限孔が開設され、該第１挟持アームと該第２挟持アームの間にバネが取付けられ、該バネの両端がそれぞれ該位置制限孔中に位置し、該位置制限孔に通される位置制限ネジにより該バネが該第１挟持アームと該第２挟持アームの間に挟持固定されることを特徴とする、抜き取り工具。
【考案の詳細な説明】
【技術分野】
【０００１】
本考案は一種の抜き取り工具に係り、特に、電子製品のレンズモジュールを抜き取るのに用いられる抜き取り工具に関する。
【背景技術】
【０００２】
携帯電話等の電子製品に対する多機能の要求に伴い、ますます多くの電子製品にカメラのレンズモジュールが配置されるようになった。
【０００３】
図７は、レンズモジュール８０とレセプター９０を示す。該レンズモジュール８０は長方形のベース８１とベース８１上部に位置するレンズ結合部８２を包含し、該レンズ結合部８２の一側に凸塊８３が凸設されている。レセプター９０は絶縁本体９１と絶縁本体９１外部を被包する金属ケース９２を包含する。金属ケース９２は複数の弾性片９２１を具えている。レンズモジュール８０がレセプター９０に挿入される時、これら弾性片９２１がレンズモジュール８０のベース８１の上面を保持するか或いはレンズモジュール８０のベース８１の側面を保持し、これにより、レンズモジュール８０をしっかりと保持する目的を達成する。
【考案の概要】
【考案が解決しようとする課題】
【０００４】
しかし、上述の電子製品のレンズモジュール８０の体積は小さく、且つ緊密に組み立てられて分解しにくく、ゆえにレンズモジュール８０をレセプター９０より抜き取るための専用の抜き取り工具を設計する必要がある。
【０００５】
本考案の主要な目的は、上述の周知の技術の不足に対し、電子製品のレンズモジュールのための抜き取り工具を提供することにある。
【課題を解決するための手段】
【０００６】
本考案の抜き取り工具は、レンズモジュール抜き取りに用いられ、ベースと複数の押圧板を包含する。該ベースは第１挟持アームと第２挟持アームを具え、該第１挟持アームと第２挟持アームの一端は接続され、別端は分離され且つ平らに揃えられ、該第１、第２挟持アームの相互に分離した端面に嵌め溝を内向きに凹設し、複数の該押圧板は第１、第２挟持アームの一側面に固定され並びに第１、第２挟持アームの相互に分離した一端より伸出する。
【考案の効果】
【０００７】
本考案の抜き取り工具でレンズモジュールを抜き取る時、レンズの一部が該嵌め溝内に挿入され、該押圧板が外向きにレンズモジュールを固定する複数の弾性片を押圧し、並びに底座の二つの背向する外側壁を挟持し、レンズモジュールに対する該弾性片の係止を解除し、このとき、第１挟持アームと第２挟持アームを握持して抜き取り工具全体を引き抜けば、便利、迅速にレンズモジュールを取り出せる。本考案の抜き取り工具は構造が簡単であり、正確に、便利に、速やかに抜き取り作業を完成できる。
【図面の簡単な説明】
【０００８】
【図１】本考案の抜き取り工具の立体図である。
【図２】図１の抜き取り工具の立体分解図である。
【図３】図２に示される抜き取り工具のベースの立体図である。
【図４】図３に示される抜き取り工具のベースのＡ部分の拡大図である。
【図５】図２に示される押圧板の立体図である。
【図６】本考案の抜き取り工具とレンズモジュールを組み合わせた時の立体図である。
【図７】本考案の抜き取り工具が適用されるレンズモジュールとレセプターの立体図である。
【考案を実施するための形態】
【０００９】
本考案の技術内容、構造特徴、及びその達成しようとする課題及び効果を詳細に説明するため、以下に、上述の背景技術中で言及したレンズモジュール８０及びレセプター９０を結合させ、抜き取り工具の実施例を提供し、関係図面を組み合わせて、本考案の技術について詳細に説明する。
【００１０】
図１及び図２に示されるように、本実施例の抜き取り工具１はベース１０、該ベース１０に枢設された複数の押圧板２０、複数の固定ブロック３０、二つの固定ピン４０、バネ５０及び二つの位置制限ネジ６０を包含する。
【００１１】
図２、図３及び図４に示されるように、ベース１０は基部１１、略長方形の第１挟持アーム１２及び第２挟持アーム１３を包含する。該第１挟持アーム１２と第２挟持アーム１３は左右に並列設置され且つ上端が基部１１により連接され、第１挟持アーム１２の下端と第２挟持アーム１３の下端は分離し且つほぼ平らに揃えられている。第１挟持アーム１２、第２挟持アーム１３及び基部１１で囲まれて細長い間隙１４が形成され、第１挟持アーム１２と第２挟持アーム１３の間に握持時に移動する距離が保留される。第１挟持アーム１２と第２挟持アーム１３の相互に分離した端面に嵌め溝１５が凹設され、該嵌め溝１５は抜き取り操作中にレンズモジュール８０外部に嵌合され（図６）、ゆえにその輪郭はレンズモジュール８０の外形に合わせて設置され、通常は円形とされる。
【００１２】
図２、図４及び図７に示されるように、現在業界で常用されているレンズモジュール８０は、いずれも外側に凸塊８３が凸設され、これに対応し、本考案の抜き取り工具１の嵌め溝１５の側壁にも位置制限溝１６が開設され、ミス防止に供される。第１挟持アーム１２と第２挟持アーム１３には位置制限孔１７が開設されている。二つの位置制限孔１７は第１挟持アーム１２或いは第２挟持アーム１３を貫通し、バネ５０の一端は第１挟持アーム１２の位置制限孔１７内に保持され、もう一端は第２挟持アーム１３の位置制限孔１７内に保持され、二つの位置制限孔１７の外端にそれぞれ位置制限ネジ６０が取付けられ、二つの該位置制限ネジ６０の一端がバネ５０の一端内に挿入され、該バネ５０及び位置制限ネジ６０が第１挟持アーム１２及び第２挟持アーム１３に挟持されたことにより、第１挟持アーム１２及び第２挟持アーム１３が弾性を有し、握持解除時に第１挟持アーム１２と第２挟持アーム１３が自動的にもとの位置に回復する。該第１挟持アーム１２と第２挟持アーム１３に貫通する固定孔１８が開設されている。
【００１３】
図２及び図５に示されるように、本実施例の抜き取り工具１の押圧板２０は長方形板状とされ、該押圧板２０中部に挿入孔２１が開設されている。該固定ブロック３０は台形塊状のベースブロック３１及びベースブロック３１の辺縁部分に凸設された側ブロック３２を具え、ベースブロック３１の中部に接続孔３３が開設されている。
【００１４】
図１と図２に示されるように、該固定ピン４０が固定孔１８、挿入孔２１及び接続孔３３内に挿入される。上述の押圧板２０は対応するベースブロック３１と第１挟持アーム１２或いは第２挟持アーム１３との間に挟持され並びに第１挟持アーム１２と第２挟持アーム１３の相互に分離した一端より伸出し、押圧板２０の一側は側ブロック３２に当接する。
【００１５】
図６と図７に示されるように、本考案の抜き取り工具１を利用してレセプター９０内よりレンズモジュール８０を抜き取る時は、まずレンズモジュール８０のレンズ結合部８２をベース１０の嵌め溝１５内に嵌合し、且つレンズ結合部８２の凸塊８３をベース１０の位置制限溝１６内に嵌合する。この時、押圧板２０は外側に向けて上述のレンズモジュール８０を挟持する複数の弾性片９２１を押圧し、並びに最終的にレンズモジュール８０のベース８１の二つの背向する外側壁を挟持し、レンズモジュール８０に対する弾性片９２１の係止を解除し、抜き取り過程中のレンズモジュール８０の弾性片９２１による引っかき傷を防止する。その後、力を入れてベース１０の第１挟持アーム１２、第２挟持アーム１３を握持して、嵌め溝１５の側壁を内向きに収縮させてレンズモジュール８０を挟持する。その後、レンズモジュール８０を挟持した抜き取り工具１全体を引き上げれば、レンズモジュール８０をレセプター９０より取り出すことができる。
【００１６】
以上のように、本考案の抜き取り工具１は構造が簡単で、正確な位置決めを実現でき、便利であり、速やかにレンズモジュールの抜き取り作業を完成できる。
【符号の説明】
【００１７】
１  抜き取り工具            １０  ベース
１１  基部                  １２  第１挟持アーム
１３  第２挟持アーム        １４  間隙
１５  嵌め溝                １６  位置制限溝
１７  位置制限孔            １８  固定孔
２０  押圧板                ２１  挿入孔
３０  固定ブロック          ３１  ベースブロック
３２  側ブロック            ３３  接続孔
４０  固定ピン              ５０  バネ
６０  位置制限ネジ          ８０  レンズモジュール
８１  ベース                ８２  レンズ結合部
８３  凸塊                  ９０  レセプター
９１  絶縁本体              ９２  金属ケース
９２１  弾性片
【図１】
0003151007.tif 000003
【図２】
0003151007.tif 000004
【図３】
0003151007.tif 000005
【図４】
0003151007.tif 000006
【図５】
0003151007.tif 000007
【図６】
0003151007.tif 000008
【図７】
0003151007.tif 000009